(57)【要約】【課題】  シェルに対するモジュールの取り付け・取り外しが容易な耳あな型補聴器を提供する。【解決手段】  電気回路や電池ホルダ５などを搭載したモジュール３を、装用者の外耳道形状に合わせて形成したシェル２に取り付ける耳あな型補聴器１であって、モジュール３に２つのトリマ式ロック部材６を設け、これらのトリマ式ロック部材６が係合するロック受け部７をシェル２の開口部２ａの内側に形成した。２つのトリマ式ロック部材６の頭部６ａを夫々アンロック状態からねじ回しなどにより回すと、トリマ式ロック部材６の足部６ｂがロック受け部７を挟持し、モジュール３がシェル２に組み付けられる。また、モジュール３に表面パネル４を取り付ける。【選択図】        図１
2010011321.tif 000002
【特許請求の範囲】
【請求項１】
電気回路や電池ホルダなどを搭載したモジュールを、装用者の外耳道に装着するシェルに取り付ける耳あな型補聴器であって、前記モジュールにトリマ式ロック部材を設け、このトリマ式ロック部材が係合するロック受け部を前記シェルに形成したことを特徴とする耳あな型補聴器。
【請求項２】
請求項１記載の耳あな型補聴器において、前記モジュールは予め決められた形状であることを特徴とする耳あな型補聴器。
【請求項３】
請求項１又は２記載の耳あな型補聴器において、前記モジュールに表面パネルを取り付けることを特徴とする耳あな型補聴器。
【請求項４】
請求項１、２又は３記載の耳あな型補聴器において、前記シェルの表面と開口部の側面を連通する貫通孔を設け、この貫通孔に耳あな型補聴器を外耳道から取り出すための取り出し用線状部材を通し、この取り出し用線状部材の開口部側端部を板状にしたことを特徴とする耳あな型補聴器。
【発明の詳細な説明】
【技術分野】
【０００１】
本発明は、装用者の外耳道に装着するシェルを備えた耳あな型補聴器に関する。
【背景技術】
【０００２】
従来の耳あな型補聴器としては、電気回路、電池ホルダ、マイクロホンやボリュームなどが搭載されたフェースプレートに装用者の外耳道形状に合わせて作成したシェルを貼り付けた後に、外耳道形状に合うようにフェースプレートの余分な部位をシェルの輪郭に沿って削除して仕上げるものが知られている。耳あな型補聴器を外耳道から取り出すための取り出し用線状部材は、フェースプレートに設けた貫通孔に通し、端部に小塊を設け、フェースプレートに接着固定するものが知られている。
【０００３】
また、予め自動的にフェースプレートを作製し、このフェースプレートの周囲形状に合わせてシェルの開口部をテーパ状に形成し、このシェルの開口部にフェースプレートを取り付ける技術が開示されている（例えば、特許文献１参照）。
また、電気回路や電池ホルダなどを搭載したモジュールを嵌める枠体を作製し、この枠体を取り付けるシェルを作製し、このシェルに枠体を介してモジュールをスナップインで取り付ける技術が開示されている（例えば、特許文献２参照）。
【０００４】
【特許文献１】特表２００５−５０９３０７号公報
【特許文献２】特表２００６−５２０１６５号公報
【発明の開示】
【発明が解決しようとする課題】
【０００５】
しかし、フェースプレートをシェルの輪郭に沿ってカットする作業は手間がかかり、綺麗に仕上げるには作業者に高度な技術を要する。また、特許文献１に記載の技術では、取り付け作業は簡易になるが、取り外しの際には接着を剥がさなければならないので、メンテナンスは難しい。また、特許文献２に記載の技術では、枠体にモジュールを取り付けることは容易だが、取り外すのが難しい。更に、表面に隙間ができないように、高い精度で枠体、シェル、モジュールを作製しなければならない。また、取り出し用線状部材が破損したときは、フェースプレートをシェルから剥がして、交換しなければならない。
【０００６】
本発明は、従来の技術が有するこのような問題点に鑑みてなされたものであり、その目的とするところは、シェルに対するモジュールの取り付け・取り外しが容易な耳あな型補聴器を提供しようとするものである。
【課題を解決するための手段】
【０００７】
上記課題を解決すべく請求項１に係る発明は、電気回路や電池ホルダなどを搭載したモジュールを、装用者の外耳道に装着するシェルに取り付ける耳あな型補聴器であって、前記モジュールにトリマ式ロック部材を設け、このトリマ式ロック部材が係合するロック受け部を前記シェルに形成したものである。
【０００８】
請求項２に係る発明は、請求項１記載の耳あな型補聴器において、前記モジュールは予め決められた形状である。
【０００９】
請求項３に係る発明は、請求項１又は２記載の耳あな型補聴器において、前記モジュールに表面パネルを取り付けるものである。
【００１０】
請求項４に係る発明は、請求項１、２又は３記載の耳あな型補聴器において、前記シェルの表面と開口部の側面を連通する貫通孔を設け、この貫通孔に耳あな型補聴器を外耳道から取り出すための取り出し用線状部材を通し、この取り出し用線状部材の開口部側端部を板状にしたものである。
【発明の効果】
【００１１】
請求項１に係る発明によれば、シェルに対するモジュールの取り付けがトリマ式ロック部材によるので、接着剤を使用しないため、モジュールの取り付け・取り外しが容易になる。
【００１２】
請求項２に係る発明によれば、モジュールは予め決められた形状で、装用者個々の外耳道形状によるものではないため、モジュールのコスト低減が図られ、その結果として耳あな型補聴器の低コスト化が図れる。
【００１３】
請求項３に係る発明によれば、表面パネルをモジュールに取り付けることによりモジュールが表面パネルで覆われるため、モジュールとシェルの形状精度がそれほど高くなくても、耳あな型補聴器としての美観に影響を与えることがない。
【００１４】
請求項４に係る発明によれば、シェルの開口部の側面にテグス取付用貫通孔を設けたことにより、テグスの取り付けがやり易く、作業性が向上する。
【発明を実施するための最良の形態】
【００１５】
以下に本発明の実施の形態を添付図面に基づいて説明する。ここで、図１は本発明に係る耳あな型補聴器の分解斜視図、図２はロック部材の斜視図、図３はモジュールの平面図、図４は表面パネルの斜視図、図５は取り出し用線状部材をシェルに取り付ける説明図、図６はトリマ式ロック部材とロック受け部の係合関係の説明図である。
【００１６】
本発明に係る耳あな型補聴器１は、図１に示すように、シェル２と、シェル２の開口部２ａに納まるモジュール３と、モジュール３を覆う表面パネル４と、開閉自在な電池ホルダ５などで構成されている。シェル２は樹脂製で、外耳道に挿入される部分が装用者の外耳道形状に合わせて形成されている。シェル２の開口部２ａの内側には、トリマ式ロック部材６が係合する鍔状のロック受け部７が２つ設けられている。ロック受け部７には小判型孔７ａが形成されている。シェル２にはモジュール３と電気的に接続されるイヤホン（不図示）が収納される。
【００１７】
トリマ式ロック部材６は、図２に示すように、頭部６ａと足部６ｂからなり、足部６ｂをロック受け部７の小判型孔７ａに挿通した後、ねじ回しなどにより頭部６ａを回すと、トリマ式ロック部材６はロック受け部７に係合し、ロック状態になる。トリマ式ロック部材６は挿入した位置でのみ取り付け・取り外しが可能なので、装用中に脱落し難い。また、図５に示すように、シェル２の開口部２ａの側面２ｃには、耳あな型補聴器１を外耳道から取り出すための取り出し用線状部材８を取り付けるためにシェル２の表面へ連通する貫通孔２ｂが設けられている。
【００１８】
モジュール３には、図３に示すように、ロック受け部７に係合する２つのトリマ式ロック部材６、増幅度合いを調整するボリューム９やマイクロホン１０などが搭載されている。また、モジュール３には、電池ホルダ５を収納するための開口３ａと、表面パネル４を取り付けるための３つの取付孔３ｂが形成されている。更に、モジュール３には、電池ホルダ５を開閉自在に取り付けるための取付バー３ｃが設けられている。モジュール３の裏面には、装用者の聞こえ具合に合わせて増幅、雑音除去、ハウリング抑制などの信号処理を行う補聴処理部としてのＤＳＰ（Digital Signal Processor）（不図示）が取り付けられている。
【００１９】
モジュール３は、装用者の外耳道形状に合わせて作製する必要がなく、機種によって、搭載する部品が異なったり、配置が異なったりするものを、既成のものとして用意しておけばよい。
【００２０】
表面パネル４には、図４に示すように、電池ホルダ５を開閉するための開口４ａ、ボリューム９を突出させるための開口４ｂ、マイクロホン１０に音を取り込むための音口４ｃが形成されている。また、表面パネル４の裏面には表面パネル４をモジュール３に取り付けるための３本の取付ピン４ｄが表面パネル４の取付孔３ｂに対応するように設けられている。電池ホルダ５は閉状態でシェル２に収納される。
【００２１】
以上のように構成された本発明に係る耳あな型補聴器１の作用について説明する。耳あな型補聴器１を組み立てるには、先ず図５（ａ）に示す貫通孔２ｂに取り出し用線状部材８を通し、図５（ａ）に示すように、抜け防止のため取り出し用線状部材８の先端（開口部２ａ側端部）８ａを熱したコテなどで平らに潰して板状にする。他方の先端には、ビーズ８ｂを接着固定する。取り出し用線状部材８をビーズ８ｂ側に引き出すと、平らに潰して板状にした先端８ａが開口部２ａの側面２ｃに当接する。貫通孔２ｂをシェル２の開口部２ａの側面２ｃに設けているので、取り出し用線状部材８の取付作業性がよい。
【００２２】
次いで、電池ホルダ５、ＤＳＰ、トリマ式ロック部材６、ボリューム９やマイクロホン１０などを搭載したモジュール３を、図６に示すように、シェル２の開口部２ａに嵌め込む。すると、２つのトリマ式ロック部材６の足部６ｂが夫々ロック受け部７の小判型孔７ａに挿通されると共に、モジュール３の外周縁部３ｄがロック受け部７に載置された状態になる。
【００２３】
次いで、２つのトリマ式ロック部材６の頭部６ａを夫々アンロック状態からねじ回しなどにより回してロック状態にすると、トリマ式ロック部材６の足部６ｂがロック受け部７を挟持することになる。すると、モジュール３がシェル２に組み付けられる。
【００２４】
モジュール３はシェル２の開口部２ａに納まるので、フェースプレートのように外周を外耳道形状に合うように仕上げる作業を必要としない。また、シェル２に対するモジュール３の取り付けが、接着剤を使用しないトリマ式ロック部材６によるため、モジュール３のシェル２に対する取り付け・取り外しが容易である。また、取り出し用線状部材８の開口部側端部８ａは、薄い板状なので、開口部２ａの側面２ｃとモジュール３の隙間に嵌り、固定される。
【００２５】
更に、表面パネル４に設けた３本の取付ピン４ｄをモジュール３に形成した取付孔３ｂに嵌挿する。すると、表面パネル４がモジュール３を覆った状態でモジュール３に組み付けられる。この時、電池ホルダ５とボリューム９は、操作できるように開口４ａ，４ｂから突出した状態にある。
【００２６】
また、表面パネル４をモジュール３に取り付けることによってモジュール３が表面パネル４で覆われるため、シェル２とモジュール３の形状精度がそれほど高くなくても、耳あな型補聴器１としての美的外観に影響を与えることがない。本発明の実施の形態では、装用者の外耳道形状に合わせて作製したシェル２を用いた耳あな型補聴器１について説明したが、本発明は既成のシェルを用いる耳あな型補聴器にも応用できることは言うまでもない。
【産業上の利用可能性】
【００２７】
本発明によれば、シェルに対するモジュールの取り付けが接着剤を使用しないトリマ式ロック部材によるため、モジュールの取り付け・取り外しが容易で、且つ装用者個々の外耳道形状を考慮する必要のないモジュールを用いるため、低コストの耳あな型補聴器を提供することができる。
【図面の簡単な説明】
【００２８】
【図１】本発明に係る耳あな型補聴器の分解斜視図
【図２】トリマ式ロック部材の斜視図
【図３】モジュールの平面図
【図４】表面パネルの斜視図
【図５】取り出し用線状部材をシェルに取り付ける説明図で、（ａ）は取り出し用線状部材取付前の状態、（ｂ）は取り出し用線状部材取付後の状態
【図６】トリマ式ロック部材とロック受け部の係合関係の説明図
【符号の説明】
【００２９】
１…耳あな型補聴器、２…シェル、２ａ…開口部、２ｂ…貫通孔、２ｃ…側面、３…モジュール、３ｂ…取付孔、３ｄ…外周縁部、４…表面パネル、４ｄ…取付ピン、５…電池ホルダ、６…トリマ式ロック部材、６ａ…頭部、６ｂ…足部、７…ロック受け部、７ａ…小判型孔、８…取り出し用線状部材、８ａ…先端（開口部側端部）、９…ボリューム。
【図１】
2010011321.tif 000003
【図２】
2010011321.tif 000004
【図３】
2010011321.tif 000005
【図４】
2010011321.tif 000006
【図５】
2010011321.tif 000007
【図６】
2010011321.tif 000008